(57)【要約】【課題】  映像信号処理装置を提供する。【解決手段】  映像信号処理装置２００は、チューナ２１０と映像プロセッサ２１５と順次走査信号処理ユニット２１９とマイクロプロセッサ２３０とコンピュータ信号変換器２３９を含む。順次走査信号処理ユニット２１９は、順次走査化器２２０と表示信号変換器２２５を含む。コンピュータ信号変換器２３９は、コンピュータインタフェースモジュール２５０を含む。コンピュータインタフェースモジュール２５０は、コンピュータ伝送インタフェースを含む。コンピュータ信号変換器２３９は、ＭＰＥＧエンコーダ２４０とＭＰＥＧデコーダ２４５を含む。映像信号処理装置２００は、スイッチ２３５、スイッチ２３６を含む。【選択図】    図２
2005080277.tif 000002
【特許請求の範囲】
【請求項１】
映像信号処理装置であって、
放送信号を受信し、原映像信号を生成するチューナと、
前記原映像信号を受信し、第１のディジタル映像信号を生成する映像プロセッサと、
前記第１のディジタル映像信号を受信し、ディスプレイ上でユーザが視認する表示信号を生成する順次走査信号処理ユニットと、
前記チューナ、前記映像プロセッサおよび前記順次走査信号処理ユニットに接続され、関連データ信号を各ユニットに伝送し、各ユニットの動作を制御するマイクロプロセッサと、
前記第１のディジタル映像信号を受信し、汎用コンピュータインタフェース形式のコンピュータ映像信号を生成し、該コンピュータ映像信号を前記コンピュータへ伝送して読み取らせ記憶媒体に記録させるコンピュータ信号変換器とを備え、
前記コンピュータをオフにして前記映像信号処理装置を動作可能状態としたとき、前記ディスプレイを瞬時にオンにし、前記ディスプレイ上でユーザに前記表示信号を視認させ、
前記コンピュータをオンにして動作可能状態としたとき、前記ディスプレイを瞬時にオンにし、前記ディスプレイ上でユーザに前記表示信号を視認させ、前記コンピュータ映像信号を前記コンピュータに読み取らせて前記記憶媒体に記録させることを特徴とする映像信号処理装置。
【請求項２】
前記マイクロプロセッサに接続して前記映像プロセッサと前記順次走査信号処理ユニットとの間に配置したスイッチをさらに備え、
該スイッチは前記映像プロセッサと前記コンピュータ信号変換器との間の切り替えを実行することを特徴とする請求項１記載の映像信号処理装置。
【請求項３】
前記マイクロプロセッサに接続し、前記順次走査信号処理ユニットと前記ディスプレイとの間に配置したスイッチをさらに備え、
該スイッチが前記順次走査信号処理ユニットと前記コンピュータとの間の切り替えを実行することを特徴とする請求項１記載の映像信号処理装置。
【請求項４】
前記順次走査信号処理ユニットは、
前記第１のディジタル映像信号を受信し、順次走査信号を生成する順次走査器と、
前記順次走査信号を受信し、前記表示信号を生成してユーザに前記ディスプレイ上で視認させる表示信号変換器を有することを特徴とする請求項１記載の映像信号処理装置。
【請求項５】
前記コンピュータ信号変換器は、
前記第１のディジタル映像信号を受信し、ＭＰＥＧ標準と互換性のある第１のＭＰＥＧ信号を生成するＭＰＥＧエンコーダと、
前記第１のＭＰＥＧ信号を受信し、前記コンピュータ映像信号を生成し前記コンピュータに読み取らせて前記記憶媒体に記録させるコンピュータインタフェースモジュールとを有することを特徴とする請求項１記載の映像信号処理装置。
【請求項６】
前記コンピュータ信号変換器はさらにＭＰＥＧデコーダを有し、前記コンピュータは前記記憶媒体に記録した前記コンピュータ映像信号を前記コンピュータインタフェースモジュールへ伝送し、これにより前記コンピュータインタフェースモジュールが第２のＭＰＥＧ信号を生成し、
前記ＭＰＥＧデコーダが前記第２のＭＰＥＧ信号を受信して第２のディジタル映像信号を生成し、該第２のディジタル映像信号を前記順次走査信号処理ユニットを介して前記ディスプレイへ伝送することを特徴とする請求項５記載の映像信号処理装置。
【請求項７】
前記コンピュータ信号変換器は、コンピュータ伝送インタフェースを有することを特徴とする請求項１記載の映像信号処理装置。
【請求項８】
前記映像信号処理装置は、前記マイクロプロセッサに接続した遠隔コントローラをさらに有し、ユーザは遠隔制御送信器を用いて前記遠隔コントローラを起動し、前記映像信号処理装置を動作可能状態とすることを特徴とする請求項１記載の映像信号処理装置。
【請求項９】
前記映像プロセッサは汎用映像信号の受信をさらに有し、該映像プロセッサが前記原映像信号又は前記汎用映像信号に従って前記第１のディジタル映像信号を生成することを特徴とする請求項１記載の映像信号処理装置。
【請求項１０】
前記映像プロセッサは、映像デコーダを有することを特徴とする請求項１記載の映像信号処理装置。
【請求項１１】
映像信号処理装置であって、
放送信号を受信し、第１の原映像信号を生成する第１のチューナと、
前記放送信号を受信し、第２の原映像信号を生成する第２のチューナと、
前記第１の原映像信号を受信し、第１のディジタル映像信号を生成する第１の映像プロセッサと、
前記第２の原映像信号を受信し、第２のディジタル映像信号を生成する第２の映像プロセッサと、
前記第２のディジタル映像信号を受信し、汎用コンピュータインタフェース形式のコンピュータ映像信号を生成し、該コンピュータ映像信号をコンピュータへ伝送し、該コンピュータにより読み取らせて前記記憶媒体に記録させるコンピュータ信号変換器と、
前記第１のディジタル映像信号を受信して第１の表示信号を生成し、該第１の表示信号をディスプレイへ伝送する順次走査信号処理ユニットと、
前記第１のチューナと前記第２のチューナと前記第１の映像プロセッサと前記第２の映像プロセッサと前記順次走査信号処理ユニットに接続され、関連データ信号を各ユニットへ伝送し各ユニットの動作を制御するマイクロプロセッサとを備え、
前記コンピュータが前記コンピュータ映像信号に従って順次走査表示信号を生成し、該順次走査表示信号を前記ディスプレイへ伝送し、前記第１の表示信号との画像重畳を実行し、これにより前記ディスプレイ上でユーザに親子画像を視認させ、
前記コンピュータをオフにして前記映像信号処理装置を動作可能状態としたとき、前記ディスプレイを瞬時にオンにし、前記ディスプレイ上でユーザに前記表示信号を視認させ、
前記コンピュータをオンにして前記映像処理装置を動作可能状態としたとき、前記ディスプレイを瞬時にオンにし、前記ディスプレイ上でユーザに前記表示信号を視認させるとともに前記コンピュータ映像信号を前記コンピュータに読み取らせて前記記憶媒体に記録させ、これにより前記ディスプレイ上でユーザに親子画像を視認させることを特徴とする映像信号処理装置。
【請求項１２】
前記マイクロプロセッサに接続して前記第１の映像プロセッサと前記順次走査信号処理ユニットとの間に配置され、前記第１の映像プロセッサと前記コンピュータ信号変換器との間の切り替えを実行するスイッチをさらに備えることを特徴とする請求項１１記載の映像信号処理装置。
【請求項１３】
前記映像処理装置は、前記マイクロプロセッサに接続して前記順次走査信号処理ユニットと前記ディスプレイとの間に配置され、前記順次走査信号処理ユニットと前記コンピュータとの間の切り替えを実行するスイッチをさらに有することを特徴とする請求項１１記載の映像信号処理装置。
【請求項１４】
前記スイッチは、前記順次走査信号処理ユニットからの前記第１の表示信号と前記コンピュータからの前記順次走査信号とを受信し、該スイッチが画像重畳を実行し、これにより前記ディスプレイ上でユーザに親子画像を視認させることを特徴とする請求項１３記載の映像信号処理装置。
【請求項１５】
前記順次走査信号処理ユニットは、
前記第１のディジタル映像信号を受信して順次走査信号を生成する順次走査器と、
前記順次走査信号を受信して前記第１の表示信号を生成する表示信号変換器とを有することを特徴とする請求項１１記載の映像信号処理装置。
【請求項１６】
前記映像信号処理装置は、
コンピュータで、前記コンピュータ映像信号に従ってコンピュータ映像インタフェース信号を生成し、コンピュータ映像インタフェース変換器を用いて前記コンピュータ映像インタフェース信号を受信し、これにより前記コンピュータ映像インタフェース変換器に第３のディジタル映像信号を生成させる前記コンピュータを有し、
前記順次走査信号処理ユニットは、前記第１のディジタル映像信号と前記第３のディジタル映像信号とを受信し、画像重畳を実行し、これによりユーザが前記ディスプレイ上で視認する親子画像を前記順次走査信号処理ユニットに生成させることを特徴とする請求項１１記載の映像信号処理装置。
【請求項１７】
前記コンピュータ信号変換器は、
前記第２のディジタル映像信号を受信し、ＭＰＥＧ標準と互換性のある第１のＭＰＥＧ信号を生成するＭＰＥＧエンコーダと、前記第１のＭＰＥＧ信号を受信し、前記コンピュータ映像信号を生成して前記コンピュータに読み取らせて前記記憶媒体に記録させるコンピュータインタフェースモジュールとを有することを特徴とする請求項１１記載の映像信号処理装置。
【請求項１８】
前記コンピュータ信号変換器はＭＰＥＧデコーダをさらに有し、前記コンピュータが前記記憶媒体に記録された前記コンピュータ映像信号を前記コンピュータインタフェースモジュールへ伝送し、これにより前記コンピュータインタフェースモジュールに第２のＭＰＥＧ信号を生成させ、
前記ＭＰＥＧデコーダは、前記第２のＭＰＥＧ信号を受信して第４のディジタル映像信号を生成し、該第４のディジタル映像信号を前記順次走査信号処理ユニットを介して前記ディスプレイへ伝送することを特徴とする請求項１７記載の映像信号処理装置。
【請求項１９】
前記コンピュータ信号変換器は、コンピュータ伝送インタフェースを有することを特徴とする請求項１１記載の映像信号処理装置。
【請求項２０】
前記映像信号処理装置は、前記マイクロプロセッサに接続した遠隔コントローラをさらに有し、ユーザは遠隔制御送信器を用いて前記遠隔コントローラを起動して前記映像信号処理装置を動作可能状態とすることを特徴とする請求項１１記載の映像信号処理装置。
【請求項２１】
前記第１の映像プロセッサは汎用映像信号を受信可能であり、該第１の映像プロセッサが前記第１の原映像信号又は前記汎用映像信号に従って第１のディジタル映像信号を生成することを特徴とする請求項１１記載の映像信号処理装置。
【請求項２２】
前記第２の映像プロセッサは汎用映像信号を受信可能であり、該第２の映像プロセッサが前記第２の原映像信号又は前記汎用映像信号に従って前記第２のディジタル映像信号を生成することを特徴とする請求項１１記載の映像信号処理装置。
【請求項２３】
前記第１の映像プロセッサ及び前記第２の映像プロセッサは、それぞれ映像デコーダを有することを特徴とする請求項１１記載の映像信号処理装置。
【請求項２４】
コンピュータシステムであって、
コンピュータと、
放送信号を受信し原映像信号を生成するチューナ、前記原映像信号を受信し第１のディジタル映像信号を生成する映像プロセッサ、前記チューナおよび前記映像プロセッサに接続され関連データ信号を各ユニットへ伝送して各ユニットの動作を制御するマイクロプロセッサ、前記第１のディジタル映像信号を受信し汎用コンピュータインタフェース形式のコンピュータ映像信号を生成し該コンピュータ映像信号を前記コンピュータへ伝送し該コンピュータにより読み取らせて記憶媒体に記録させるコンピュータ信号変換器、ならびに順次走査信号処理ユニットを有し該順次走査信号処理ユニットが前記第１のディジタル映像信号を受信して表示信号を生成しユーザに前記表示信号を視認させるディスプレイを有する映像信号処理装置とを備え、
前記コンピュータをオフにして前記映像信号処理装置を動作可能状態としたとき、前記ディスプレイを瞬時にオンにし、前記ディスプレイ上でユーザに前記表示信号を視認させ、
前記コンピュータをオンにして前記映像処理装置を動作可能状態としたとき、前記ディスプレイを瞬時にオンにし、前記ディスプレイ上でユーザに前記表示信号を視認させるとともに、前記コンピュータ映像信号を前記コンピュータに読み取らせて前記記憶媒体に記録させることを特徴とするコンピュータシステム。
【請求項２５】
コンピュータシステムであって、
コンピュータと、
放送信号を受信し第１の原映像信号を生成する第１のチューナ、前記放送信号を受信し第２の原映像信号を生成する第２のチューナ、前記第１の原映像信号を受信し第１のディジタル映像信号を生成する第１の映像プロセッサ、前記第２の原映像信号を受信し第２のディジタル映像信号を生成する第２の映像プロセッサ、前記第２のディジタル映像信号を受信し汎用コンピュータインタフェース形式のコンピュータ映像信号を生成し前記コンピュータ映像信号を前記コンピュータへ伝送し該コンピュータにより読み取らせて記憶媒体に記録させるコンピュータ信号変換器、前記第１のチューナと前記第２のチューナと前記第１の映像プロセッサと前記第２の映像プロセッサとに接続され関連データ信号を各ユニットへ伝送して各ユニットの動作を制御するマイクロプロセッサ、ならびに順次走査信号処理ユニットを有し該順次走査信号処理ユニットが前記第１のディジタル映像信号を受信し第１の表示信号を生成するディスプレイを有する映像信号処理装置とを備え、
前記コンピュータは前記コンピュータ映像信号に従って第２の表示信号を生成し、該第２の表示信号を前記ディスプレイへ伝送し、前記第１の表示信号との画像重畳を実行し、これにより前記ディスプレイ上でユーザに親子画像を視認させ、
前記コンピュータをオフにして前記映像信号処理装置を動作可能状態としたとき、前記ディスプレイを瞬時にオンにし、前記ディスプレイ上でユーザに前記第１の表示信号を視認させ、
前記コンピュータをオンにして前記映像処理装置を動作可能状態としたとき、前記ディスプレイを瞬時にオンにし、前記ディスプレイ上でユーザに前記表示信号を視認させるとともに前記コンピュータ映像信号を前記コンピュータに読み取らせて前記記憶媒体に記録させ、これにより前記ディスプレイ上でユーザに親子画像を視認させることを特徴とするコンピュータシステム。
【請求項２６】
ディスプレイとコンピュータとを備えるコンピュータシステムであって、
前記ディスプレイは、請求項１又は１１に記載の前記映像信号処理装置を有することを特徴とするコンピュータシステム。
【請求項２７】
ディスプレイとコンピュータとを備えるコンピュータシステムであって、
前記コンピュータは、請求項１又は１１に記載の前記映像信号処理装置を有することを特徴とするコンピュータシステム。
【請求項２８】
ディスプレイとコンピュータと映像信号処理装置とを備えるコンピュータシステムであって、
前記映像信号処理装置は、請求項１又は１１に記載の前記映像信号処理装置を有することを特徴とするコンピュータシステム。
【発明の詳細な説明】
【技術分野】
【０００１】
本発明は映像信号処理装置に係り、特に映像信号処理装置を一体化したコンピュータシステムのみならず、ディスプレイが瞬時にオンでき、映像信号をディスプレイ上で視認し、コンピュータ内に記録することのできる映像信号処理装置に関する。
【背景技術】
【０００２】
近来、液晶ディスプレイと液晶テレビジョンの急速な流行のお陰で、テレビジョン信号を液晶信号へ変換する技術もまた急速に発達している。液晶テレビジョンの使用は、将来へ向けた重要なトレンドである。さらに、コンピュータの増大する計算速度と記憶媒体のより大きな記憶容量が大量の映像データの記憶に役立っている。独立した液晶ディスプレイ上でテレビジョン信号を視認したり、コンピュータのハードディスク上にテレビジョン信号を記録することが、切に必要とされている。
【０００３】
従来、テレビジョン用チューナカードをコンピュータに付加することでコンピュータディスプレイ上でテレビジョン信号を視認する目的を達成できてはいるが、前述の方法の使用時にはユーザがコンピュータのオペレーションシステムすなわち基本入／出力システム（ＢＩＯＳ）を立ち上げねばならなかった。この方法ではディスプレイを瞬時にしてオンしてテレビジョン信号を視認する目的は達成不可能であった。それは比較的時間を要し、コンピュータのＣＰＵ資源を大きく占有してしまうことにもなる。それは電力の無駄でもあり、環境にとって有害でもあった。
【０００４】
従来、ディスプレイを瞬時にしてオンし、テレビジョン信号を視認する目的を達成するのに二つの方法が存在していた。一方は液晶テレビジョン（ＬＣＤ  ＴＶ）を用いるものであり、他方は外郭ＴＶ筺体を用いるものである。両方法とも、ディスプレイを瞬時にしてオンしてテレビジョン信号を見る目標を達成することができる。しかしながら、両方法の不利は装置がコンピュータに接続できず、そのためにテレビジョン信号を記録できないことにある。
【０００５】
考慮すべき二つの目的が存在する。一方の目的は、ディスプレイを瞬時にオンし、テレビジョン信号を視認できるようにすることにある。他方の目的は、それを視認しながらテレビジョン信号を記録することにある。両方を達成する従来の方法を、図１に提示する。図１は、従来のテレビ信号処理を示すブロック線図である。テレビジョン信号などの放送信号は、コンピュータ１０２内のチューナ１０４により受信される。この放送信号はコンピュータ内の映像デコーダ１０６により処理され、そこでハードディスクなどの記憶媒体１０８に記録される。これにより、映像信号の記録目的を達成することができる。
図１に示す如く、放送信号１１０はＴＶ筺体１２６のチューナ１０５が受信する。放送信号１１０は映像デコーダ１０７が処理し、続いて表示信号変換器１１４を介してディスプレイ１１８へ伝送される。これにより、ディスプレイの瞬時オンとテレビジョン信号の視認目的が達成される。
【発明の開示】
【発明が解決しようとする課題】
【０００６】
図１に示す如く、前述の両目的は達成されるが、二つのチューナ１０４，１０５と二つの映像デコーダ１０６，１０７を用いるものである。前述した従来の方法は、高価であり、空間を無駄にし不便である。
それ故、本発明の一つの目的は映像信号処理装置を提供することにある。たった一つのチューナとたった一つの映像プロセッサを用いることで、ディスプレイは瞬時にしてオンされ、ディスプレイ上で映像信号を視認することができる。さらに、映像信号処理装置をコンピュータに接続し、これにより映像信号をコンピュータ内に記録することができる。
本発明の別の目的は、映像信号処理装置を提供することにある。ディスプレイは瞬時にしてオンすることができ、映像信号をディスプレイ上で視認することができる。映像信号はコンピュータ記憶媒体に記録することができ、記憶媒体に記録した映像信号はディスプレイ上に表示することができる。さらに、ディスプレイ上に親子画像を表示することができる。ディスプレイ上で映像信号を視認するとき、ユーザは同時にコンピュータ内の他のアプリケーションを実行することができる。
【課題を解決するための手段】
【０００７】
本発明の前述の目的と他の目的に従い、映像信号処理装置を提供する。映像信号処理装置は、チューナと映像プロセッサと順次走査信号処理ユニットとマイクロプロセッサとコンピュータ信号変換器を含む。チューナは放送信号を受信し、原映像信号を生成する。映像プロセッサは原映像信号を受信し、第１のディジタル映像信号を生成する。順次走査信号プロセッサは、第１のディジタル映像信号を受信して表示信号を生成する。表示信号は、ディスプレイ上でユーザが視認する。マイクロプロセッサは、チューナと映像プロセッサと順次走査信号処理ユニットに接続してある。マイクロプロセッサは、関連信号を各ユニットに伝送し、各ユニットの動作を制御する。コンピュータ信号変換器は、第１のディジタル映像信号を受信し、汎用コンピュータインタフェース形式のコンピュータ映像信号を生成する。コンピュータ映像信号はコンピュータへ伝送され、コンピュータにより読み取られて記憶媒体に記録される。コンピュータをオフにしたときに、映像信号処理装置は動作可能状態とされ、ディスプレイを瞬時にしてオンさせ、ユーザはディスプレイ上で映像信号を視認することができる。コンピュータをオンして映像信号処理装置を動作可能状態としたときに、ディスプレイは瞬時にしてオンされ、ユーザは映像信号をディスプレイ上で視認することができる。その間、映像信号はコンピュータにより読み取られて記憶媒体に記録することができる。
【０００８】
本発明の前述の目的と他の目的に従い、映像信号処理装置を提供する。映像信号処理装置は、第１のチューナと第２のチューナと第１の映像プロセッサと第２の映像プロセッサとコンピュータ信号変換器と順次走査信号処理ユニットとマイクロプロセッサを含む。第１のチューナは放送信号を受信し、第１の原映像信号を生成する。第２のチューナは放送信号を受信し、第２の原映像信号を生成する。第１の映像プロセッサは第１の原映像信号を受信し、第１のディジタル映像信号を生成する。第２の映像プロセッサは第２の原映像信号を受信し、第２のディジタル映像信号を生成する。コンピュータ信号変換器は第２のディジタル映像信号を受信し、汎用コンピュータインタフェース形式のコンピュータ映像信号を生成する。コンピュータ映像信号はコンピュータへ伝送され、読み取られて記憶媒体に記録される。順次走査信号処理ユニットは、第１のディジタル映像信号を受信し、第１の表示信号を生成する。第１の表示信号は、ディスプレイへ伝送される。マイクロプロセッサは、第１のチューナと第２のチューナと第１の映像プロセッサと第２の映像プロセッサと順次走査信号処理ユニットへ接続してある。マイクロプロセッサは、関連データ信号を各ユニットへ伝送し、各ユニットの動作を制御する。コンピュータは、コンピュータ映像信号に従って順次走査信号を生成し、この順次走査信号がディスプレイへ伝送され、これにより順次走査信号が第１の表示信号に重畳され、ユーザは親子画像をディスプレイ上で視認できるようになる。コンピュータをオフし、映像信号処理装置を動作可能状態としたときに、ディスプレイを瞬時にしてオンさせ、ユーザは映像信号をディスプレイ上で視認することができる。コンピュータをオフし、映像信号処理装置を動作可能状態としたときに、ディスプレイを瞬時にしてオンさせ、ユーザは映像信号をディスプレイ上で視認することができる。一方、映像信号はコンピュータにより読み取られ記憶媒体に記録することができる。親子画像は、ディスプレイ上でユーザにより視認される。
【０００９】
本発明の前述の目的と他の目的に従い、コンピュータシステムを提供する。このコンピュータシステムは、ディスプレイとコンピュータと映像信号処理装置を含む。上述の映像信号処理装置は、コンピュータ又はディスプレイ内に一体化することができる。それはまた、外郭映像信号処理装置として用いることもできる。
前述の一般的な説明と下記の詳細な説明は例示によるものであり、特許請求する本発明の説明を敷延する意図のあることは理解されたい。
添付図面は本発明のさらなる理解をもたらすよう含めたものであり、この明細書内に組み込まれとその一部を形成している。図面は本発明の実施例を示しており、説明と併せ本発明原理を説明するのに役立つものである。
【発明を実施するための最良の形態】
【００１０】
ここで、本発明の好適な実施例を詳しく参照することとし、その例を添付図面に示してある。可能な限り、同一又は類似の部品の参照には図面中及び説明中に同一の参照符号を用いることとする。
本実施例の映像信号処理装置２００の動作は、以下の説明でもって与えられる。ディスプレイを瞬時にオンさせ、ディスプレイ上でユーザが表示信号を視認するという目的が達成される。映像信号処理装置２００はまたコンピュータへ接続することができ、これにより映像信号を読み取って記憶媒体に記録することができる。前述の映像信号は、例えば放送信号又は汎用映像信号とすることができる。放送信号は、アナログ或いはディジタルの信号を含む。例えば、放送信号はＮＴＳＣ（米国テレビジョン放送標準委員会）方式或いはＰＡＬ（走査線単位位相反転）方式の高周波（ＲＦ）放送信号（すなわちテレビジョン信号と呼ぶ）か他のディジタル放送信号とすることができる。汎用映像信号は、これに限定はされないが、ＤＶＤ（ディジタルビデオディスク）或いはＶＣＤ（ビデオコンパクトディスク）プレーヤが供給する汎用映像信号或いは他の映像信号源が供給するアナログ或いはディジタルの映像信号である。例えば、アナログＲＧＢ信号やディジタルＲＧＢ信号やアナログＬＶＤＳ（低電圧差動伝送）信号やディジタルＬＶＤＳ信号やＳ（輝度色分離伝送）映像信号やＣ（輝度色合成伝送）映像信号を、汎用映像信号源として用いることができる。
【００１１】
図２は、本発明による映像信号処理装置の第１の好適な実施例を示すブロック線図である。本実施例の映像信号処理装置２００は、チューナ２１０と映像プロセッサ２１５と順次走査信号処理ユニット２１９とマイクロプロセッサ２３０とコンピュータ信号変換器２３９を含む。順次走査信号処理ユニット２１９は、順次走査化器２２０と表示信号変換器２２５を含む。コンピュータ信号変換器２３９は、コンピュータインタフェースモジュール２５０を含む。コンピュータインタフェースモジュール２５０は、コンピュータ伝送インタフェースを含む。コンピュータ伝送インタフェースには、これに限定されないが、ユニバーサルシリアルバス（ＵＳＢ）及び／又は１３９４規格及び／又はＰＣＩ（周辺機器相互接続）インタフェースを含めることができる。コンピュータ信号変換器２３９にはさらに、ＭＰＥＧエンコーダ２４０とＭＰＥＧデコーダ２４５を含めることができる。映像信号処理装置２００にはさらに、スイッチ２３５及び／又はスイッチ２３６を含めることができる。マイクロプロセッサ２３０は、チューナ２１０と映像プロセッサ２１５と順次走査化器２２０と表示信号変換器２２５とスイッチ２３５とスイッチ２３６に接続してある。マイクロプロセッサ２３０は、関連データ信号の各ユニットへの伝送と各ユニットの動作制御に用いられる。コンピュータ２６０をオフにしたときに、マイクロプロセッサ２３０がシステム制御センターとなることに留意されたい。スイッチ２３５とスイッチ２３６は、それぞれ異なる映像信号源間の切り替えに用いられる。スイッチ２３５は、映像プロセッサ２１５とコンピュータ信号変換器２３９の間の切り替えに用いられる。スイッチ２３６は、順次走査信号処理ユニット２１９とコンピュータ２６０の間の切り替えに用いられる。
【００１２】
映像信号処理装置２００を動作可能状態としたときに、チューナ２１０は放送信号を受信して原映像信号を生成し、この原映像信号を映像プロセッサ２１５へ伝送する。映像信号処理装置２００を動作可能状態とする方法は、例えば赤外線（ＩＲ）遠隔コントローラなどの遠隔コントローラ２７０の設置によることができる。ユーザは、遠隔制御送信器（図示せず）を用いて遠隔コントローラ２７０を起動し、映像信号処理装置２００を動作可能状態とすることができる。映像信号処理装置２００を動作可能状態とする代替方法もまた適用可能である。チューナ２１０を用いて放送信号間のチャンネルを選択し、これによりテレビジョンプログラムが表示されるようにする。映像プロセッサ２１５は、映像デコーダを含む。
【００１３】
汎用映像信号源をディスク再生装置により供給するか、アナログ又はディジタルの映像信号などの非放送信号により供給した場合、汎用映像信号はチューナ２１０により処理されない。映像信号源は、映像プロセッサ２１５へ直接伝送されて処理される。
次に、映像プロセッサ２１５は受信原映像信号又は受信汎用映像信号に従い第１のディジタル映像信号を生成し、第１のディジタル映像信号はそこでスイッチ２３５を介して順次走査化器２２０へ伝送される。例えば、原映像信号はテレビジョンアナログ信号とすることができる。映像プロセッサ２１５は、テレビジョンアナログ信号を処理し、ディジタル信号処理に適したテレビジョンディジタル信号を生成する。
【００１４】
順次走査化器２２０はそこで第１のディジタル映像信号に従い順次走査信号を生成し、順次走査信号を表示信号変換器２２５へ伝送する。
次に、表示信号変換器２２５はディスプレイ２５５が受信することのできる形式と互換性のある順次走査信号を生成し、この順次走査信号をスイッチ２３６を介してディスプレイ２５５へ伝送し、これによりユーザはディスプレイ上で映像を視認できるようになる。ディスプレイは、陰極線管（ＣＲＴ）又は液晶ディスプレイ（ＬＣＤ）とすることができる。
【００１５】
さらに、映像プロセッサ２１５は第１のディジタル映像信号をコンピュータ信号変換器２３９へ伝送することができ、そのときにコンピュータ信号変換器２３９が第１のディジタル映像信号に従う汎用コンピュータインタフェース形式のコンピュータ映像信号を生成する。コンピュータ映像信号は、そこでコンピュータ２６０へ伝送される。汎用コンピュータインタフェース形式は、これらには限定されないが、ＵＳＢや１３９４規格やＰＣＩインタフェースを含む。例えば、ＭＰＥＧエンコーダ２４０は第１のディジタル映像信号を受信し、第１のディジタル映像信号に従うＭＰＥＧ標準と互換性のある第１のＭＰＥＧ信号を生成する。コンピュータインタフェースモジュール２５０は、第１のＭＰＥＧ信号を受信し、第１のＭＰＥＧ信号に従い、コンピュータ２６０が読み取って記憶媒体（図示せず）内に記録するコンピュータ映像信号を生成する。記憶媒体は、これらに限定はされないが、ハードディスクとか、ＣＤ−ＲやＣＤ−ＲＷやＤＶＤ−ＲやＤＶＤ＋ＲＷやＤＶＤ−ＲＷといった光記憶媒体を含む。
【００１６】
コンピュータ２６０は、記録されたコンピュータ映像信号をコンピュータインタフェースモジュール２５０へ伝送することができ、そこでコンピュータインタフェースモジュール２５０が第２のＭＰＥＧ信号を生成する。次に、ＭＰＥＧデコーダ２４５が第２のＭＰＥＧ信号を受信し、この第２のＭＰＥＧ信号に従って第２のディジタル映像信号を生成する。次に、前述の第１のディジタル映像信号処理手順における如く、第２のディジタル映像信号がスイッチ２５５を介してディスプレイ２５５、順次走査化器２２０、表示信号変換器２５５、スイッチ２３６の順に伝送され、ディスプレイ２５５上でユーザが視認する。
【００１７】
様々なモードで動作する映像信号処理装置２００を、以下の例で説明する。入力映像信号は、例えば放送信号である。
ディスプレイ２５５をオンしコンピュータ２６０をオフすると、放送信号はチューナ２１０、映像プロセッサ２１５、スイッチ２３５、順次走査化器２２０、表示信号変換器２５５、スイッチ２３６を順に経由してディスプレイ２５５へ伝送される。従って、コンピュータ２６０をオンすることなく、ユーザはディスプレイ２５５上で放送信号を視認することができる。
【００１８】
ディスプレイ２５５をオンしコンピュータ２６０をオンしたときに、ユーザが放送信号を視認しようとした場合、ユーザにとってはそこから選択する二つの伝送路が存在する。第１の伝送路によれば、放送信号はチューナ２１０、映像プロセッサ２１５、スイッチ２３５、順次走査化器２２０、映像信号変換器２２５、スイッチ２３６を順に経由してディスプレイ２５５へ伝送される。第１の伝送路を用いて動作させたときに、放送信号はコンピュータ信号変換器２３９を介してコンピュータ２６０へ伝送され、コンピュータ２６０により記録される。
【００１９】
第２の伝送路によれば、放送信号はチューナ２１０、映像プロセッサ２１５、ＭＰＥＧエンコーダ２４０、コンピュータインタフェースモジュール２５０、コンピュータ２６０、スイッチ２３６を順に経由してディスプレイ２５５へ伝送される。第２の伝送路を用いて動作させたときに、ユーザはコンピュータ２６０内のアプリケーションを同時に実行できる。例えば、ユーザはワード（Ｗｏｒｄ）やエクセル（Ｅｘｃｅｌ）ソフトウェアを用いて編集を実行することができる。第２の伝送路を用いた動作期間中、放送信号をコンピュータ２６０内の記憶媒体に記録することもできる。換言すれば、放送信号はコンピュータ２６０を介して伝送するときはいつも記録することができる。冗長な説明を避けるため、簡単になるよう同一手順は省略してある。
【００２０】
ユーザが記憶媒体に記録された映像信号を読み取りたいと望む場合、ユーザは二つの伝送路から選択することができる。第１の伝送路によれば、映像信号はコンピュータインタフェースモジュール２５０、ＭＰＥＧデコーダ２４５、スイッチ２３５、順次走査化器２２０、表示信号変換器２２５、スイッチ２３６を順に経由してディスプレイ２５５へ伝送される。第２の伝送路については、コンピュータ２６０で処理した後、映像信号はスイッチ２３６を介してディスプレイ２５５へ伝送される。第２の伝送路を用いて動作させたときに、ユーザはコンピュータ内のアプリケーションを同時に実行することができる。例えば、ユーザはワード（Ｗｏｒｄ）やエクセル（Ｅｘｃｅｌ）を用いて編集を行なうことができる。
第１実施例において、ディスプレイ２５５自体が順次走査信号処理ユニット２１９と同様の信号変換機能を有する場合、順次走査信号処理ユニット２１９は本実施例の映像信号処理装置２００から除くことができる。その上、スイッチ２３５とスイッチ２３６は設計者の必要に応じて選択することができる。
【００２１】
図３は、本発明の映像信号処理装置の第２の好適な実施例のブロック線図である。第２の好適な実施例の映像信号処理装置３００の構成は、第１の好適な実施例の映像信号処理装置２００の構成と同様である。最も重要な差異は、チューナ３１１と映像プロセッサ３１６が映像信号処理装置３００に付加してある点にある。その目的は、親子画像の特徴を加えることにある。
本実施例の映像信号処理装置３００は、チューナ３１０とチューナ３１１と映像プロセッサ３１５と映像プロセッサ３１６と順次走査信号処理ユニット３１９とマイクロプロセッサ３３０とコンピュータ信号変換器３３９を含む。順次走査信号処理ユニット３１９は、順次走査化器３２０と映像信号変換器３２５を含む。コンピュータ信号変換器３３９はコンピュータインタフェースモジュール３５０を含み、コンピュータインタフェースモジュール３５０はコンピュータ伝送インタフェースを含む。コンピュータ伝送インタフェースは、これらに限定はされないが、ＵＳＢ及び／又は１３９４規格とＰＣＩインタフェースを含む。コンピュータ信号変換器３３９にはさらに、ＭＰＥＧエンコーダ３４０とＭＰＥＧデコーダ３４５を含めることができる。映像信号処理装置３００にはさらに、スイッチ３３５及び／又はスイッチ３３６を含めることができる。映像信号処理装置３００にはまた、コンピュータ映像インタフェース変換器３６５を含めることができる。マイクロプロセッサ３３０は、チューナ３１０とチューナ３１１と映像プロセッサ３１５と映像プロセッサ３１６と順次走査化器３２０と映像信号変換器３２５とスイッチ３３５とスイッチ３３６に接続してある。マイクロプロセッサ３３０は、関連データ信号を各ユニットに供給し、各ユニットの動作を制御するのに用いられる。コンピュータ３６０をオフしたときに、マイクロプロセッサ３３０がマスターとなることに留意されたい。換言すれば、マイクロプロセッサ３３０はシステム制御センターとなる。スイッチ３３５とスイッチ３３６は、それぞれ異なる映像信号源間の切り替えに用いることができる。スイッチ３３５は、映像プロセッサ３１５とコンピュータ信号変換器３３９の間の切り替えに用いられる。スイッチ３３６は、順次走査信号処理ユニット３１９とコンピュータ３６０の間の切り替えに用いられる。
【００２２】
本発明の第２の実施例では、映像信号源は例えば放送信号である。汎用映像信号源をディスク再生装置やアナログ又はディジタルの映像信号などの非放送信号により供給する場合、映像信号源はチューナ３１０により処理されず、またチューナ３１１によっても処理されない。映像信号源は、映像プロセッサ３１５と映像プロセッサ３１６へ直接伝送されて処理される。また、映像信号源は放送信号からの入来と映像信号からの入来とが同時に可能であり、これにより放送信号と映像信号の両方を有する親子画像が供給される。
【００２３】
ディスプレイ３５５とコンピュータ３６０を双方同時にオンしたときに、映像信号処理装置３００が動作可能状態とされ、チューナ３１０とチューナ３１１が放送信号を受信し、それぞれ第１の原映像信号と第２の原映像信号を生成する。第１の原映像信号と第２の原映像信号は、同一放送信号の異なるチャンネルを表わす。第１の原映像信号と第２の原映像信号は、ここで図３に示す如く、それぞれ映像プロセッサ３１５と映像プロセッサ３１６へ伝送される。映像プロセッサ３１５と映像プロセッサ３１６には、それぞれ映像デコーダを含めることができる。映像信号処理装置３００を動作可能状態とする方法は、例えば図２に図示した如く映像信号処理装置３００内の赤外線（ＩＲ）遠隔コントローラなどの遠隔コントローラ３７０の設置によることができる。ユーザは遠隔制御送信器（図示せず）を用いて遠隔コントローラ３７０を起動し、映像信号処理装置３００を動作可能状態とすることができる。映像信号処理装置３００を動作可能状態とする代替方法もまた適用可能である。
【００２４】
次に、映像プロセッサ３１５は第１の原映像信号に従う第１のディジタル映像信号すなわち映像プロセッサ３１５が受信する映像信号を生成する。第１のディジタル映像信号は、スイッチ３３５を介して順次走査化器３２０へ伝送される。
さらに、映像プロセッサ３１６は第２の原映像信号に従って第２のディジタル映像信号すなわち映像プロセッサ３１６が受信する映像信号を生成する。第２のディジタル映像信号は、コンピュータ信号変換器３３９へ伝送される。コンピュータ信号変換器３３９は、汎用コンピュータインタフェース形式のコンピュータ映像信号を生成する。汎用コンピュータインタフェース形式には、これに限定はされないが、ＵＳＢや１３９４規格やＰＣＩインタフェースを含めることができる。例えば、ＭＰＥＧエンコーダ３４０は第２のディジタル映像信号を受信し、この第２のディジタル映像信号に従いＭＰＥＧ標準と互換性のある第１のＭＰＥＧ信号を生成する。コンピュータインタフェースモジュール３５０は第１のＭＰＥＧ信号を受信し、第１のＭＰＥＧ信号に従ってコンピュータ３６０が読み取って記憶媒体（図示せず）に記録するコンピュータ映像信号を生成する。この記憶媒体は、これらに限定はされないが、ハードディスクとか、ＣＤ−ＲやＣＤ−ＲＷやＤＶＤ−ＲやＤＶＤ＋ＲＷやＤＶＤ−ＲＷといった光記憶媒体を含む。
【００２５】
次に、コンピュータ３６０はアナログＬＶＤＳ信号やＤＶＩ（ディジタルビデオインタフェース）信号といったコンピュータ映像インタフェース信号を生成する。コンピュータ映像インタフェース信号はそこで、コンピュータ映像インタフェース変換器３６５へ伝送される。
その後、コンピュータ映像インタフェース変換器３６５はコンピュータ映像インタフェース信号に従って第３のディジタル映像信号を生成する。この第３のディジタル映像信号は、そこで順次走査化器３２０へ伝送される。第３のディジタル映像信号は、例えばディジタルＲＧＢ信号である。
【００２６】
次に、順次走査化器３２０は第１のディジタル映像信号と第３のディジタル映像信号に従って画像重畳を実行し、これにより順次走査された重畳親子画像が供給される。
その後、表示信号変換器３２５はディスプレイ３５５が受信することのできる形式と互換性のある表示信号を生成する。表示信号はスイッチ３３６を介してディスプレイ３５５へ伝送され、これによりユーザはディスプレイ３５５上で親子画像を視認することができる。
コンピュータ３６０がコンピュータ映像信号に従ってアナログのＲＧＢ信号などの順次走査信号を生成できることに留意されたい。コンピュータ３６０は順次走査信号をスイッチ３６６へ伝送して順次走査信号処理ユニット３１９からの表示信号との画像重畳を実行し、これによりユーザはディスプレイ３５５上で親子画像を視認することができる。それ故、画像重畳には二つの伝送路が存在し、ユーザは二つの伝送路から選択することができる。
【００２７】
第２の実施例に関する他のモードを、ここで説明する。例えば、第１の実施例に説明した如く、ユーザはコンピュータ３６０の記憶媒体に記録された映像信号を読み取り、同時に同じコンピュータ３６０内の他のアプリケーションを実行することができる。冗長な説明を避けるため、ここでは同一手順は省略する。
さらに、第２の実施例では、ディスプレイ３５５自体が順次走査信号処理ユニット３１９同様の信号変換機能を有する場合、順次走査信号処理ユニット３１９は本実施例の映像信号処理装置３００から除くことができる。スイッチ３３５とスイッチ３３６も、設計者の必要に応じて選択することができる。
図４Ａから図４Ｃは、本実施例の映像信号処理装置に一体化することのできるアプリケーションを示すブロック線図である。図４Ａは、映像信号処理装置をディスプレイに一体化したコンピュータシステムのアプリケーションを示すブロック線図である。図４Ｂは、映像信号処理装置をコンピュータに一体化したコンピュータシステムのアプリケーションを示すブロック線図である。図４Ｃは、映像信号処理装置を外郭用に設計したコンピュータシステムのアプリケーションを示すブロック線図である。図４Ａの映像信号処理装置の電源は、ディスプレイにより供給される。図４Ｂの映像信号処理装置の電源は、予備電源か又はコンピュータの主電源により供給される。図４Ｃの映像信号処理装置の電源は、外部電源により供給される。
【００２８】
図４Ａから図４Ｃの映像信号処理装置は、本発明の第１実施例又は第２の実施例（２００又は３００）とすることができる。動作モードは上記に説明してあり、簡単にするため同じ手順は省略してある。
本発明の第１の好適な実施例によれば、図２に示した如く、映像信号処理装置２００内で唯一のチューナ２１０と唯一の映像プロセッサ２１５を用いることが可能である。前述の利点を備えることで、ディスプレイは依然として瞬時にオンすることができ、ユーザはディスプレイ上で映像信号を視認することができる。これ故、費用と空間を減らすことができる。さらに、映像信号を視認しながらユーザはコンピュータ内のアプリケーションを実行して編集などの他の操作を行なうことができる。
【００２９】
第２の好適な実施例によれば、図３に示した如く、ディスプレイを瞬時にしてオンし、ディスプレイ上で映像信号を視認することが可能である。一方、映像信号はコンピュータの記憶媒体に記録することができ、親子画像をディスプレイに供給することができる。
本発明の第１及び第２の好適な実施例によれば、図３と図４に示したように、映像信号処理装置２００，３００の双方において、コンピュータの記憶媒体に記録された映像信号をディスプレイ上に表示することができる。
【００３０】
要するに、本発明の映像信号処理装置では、ディスプレイは瞬時にオンさせることができ、ユーザはディスプレイ上で映像信号を視認する。映像信号は、コンピュータの記憶媒体に記録することができる。記憶媒体に記録された映像信号はディスプレイに表示することができ、親子画像もまたディスプレイ上に供給することができる。ディスプレイ上で映像信号を視認しながら、ユーザは同時にコンピュータ内のアプリケーションを実行することができる。
【００３１】
本発明はその幾つかの好適な実施例を参照してかなり詳細に説明してきたが、他の実施例も可能である。それ故、添付特許請求の範囲のそれらの趣旨ならびに範囲は、本願明細書に含まれる好適な実施例の説明に限定すべきではない。
本発明の範囲或いは趣旨から逸脱することなく本発明構成に対し様々な改変と変形が可能であることは、当業者には明らかとなろう。前述の観点から、それらが特許請求の範囲とその均等物に含まれる限り、本発明はこの発明の改変と変形を含むことを意図するものである。
【図面の簡単な説明】
【００３２】
【図１】従来のテレビジョン信号処理を示す図である。
【図２】本発明の映像信号処理装置の第１の好適な実施例を示すブロック線図である。
【図３】本発明の映像信号処理装置の第２の好適な実施例を示すブロック線図である。
【図４Ａ】本発明の映像信号処理装置を一体化したコンピュータシステムの用途を示すブロック線図である。
【図４Ｂ】本発明の映像信号処理装置を一体化したコンピュータシステムの用途を示すブロック線図である。
【図４Ｃ】本発明の映像信号処理装置を一体化したコンピュータシステムの用途を示すブロック線図である。
【符号の説明】
【００３３】
１０２  コンピュータ、  １０４、１０５  チューナ、  １０６、１０７  映像デコーダ、  １０８  記憶媒体、  １１０  放送信号、  １１４  表示信号変換器、  １１８  ディスプレイ、  １２６  ＴＶ筺体、  ２００  映像信信号処理装置、  ２１０  チューナ、  ２１５  映像プロセッサ、  ２１９  順次走査信号処理ユニット、  ２２０  順次走査化器、  ２２５  表示信号変換器、  ２３０  マイクロプロセッサ、  ２３５、２３６  スイッチ、  ２３９  コンピュータ信号変換器、  ２４０  ＭＰＥＧエンコーダ、  ２４５  ＭＰＥＧデコーダ、  ２５０  コンピュータインタフェースモジュール、  ２５５  ディスプレイ、  ２６０  コンピュータ、  ２７０  遠隔コントローラ、  ３００  映像信号処理装置、  ３１０、３１１  チューナ、  ３１５、３１６  映像プロセッサ、  ３１９  順次走査信号処理ユニット、  ３２０  順次走査化器、  ３２５  映像信号変換器、  ３３０  マイクロプロセッサ、  ３３６  スイッチ、  ３３９  コンピュータ信号変換器、  ３４０  ＭＰＥＧエンコーダ、  ３４５  ＭＰＥＧデコーダ、  ３５０  コンピュータインタフェースモジュール、  ３５５  ディスプレイ、  ３６０  コンピュータ、  ３６５  コンピュータ映像インタフェース変換器、  ３７０  遠隔コントローラ
【図１】
2005080277.tif 000003
【図２】
2005080277.tif 000004
【図３】
2005080277.tif 000005
【図４Ａ】
2005080277.tif 000006
【図４Ｂ】
2005080277.tif 000007
【図４Ｃ】
2005080277.tif 000008